(57)【特許請求の範囲】
【請求項１】
空気吸込口及び空気吹出口を有する筐体と、
前記筐体内に配置された熱交換器と、
前記熱交換器の空気吸い込み側に配置されたフィルターと、
室内空気を前記空気吸込口より吸い込み、前記フィルター及び前記熱交換器を通してから前記空気吹出口より吹き出す送風ファンと、
前記フィルターに捕集された塵埃を除去する清掃装置と、を備え、
前記清掃装置は前記フィルター上を左方向及び右方向に移動する掃除用刷毛と、前記掃除用刷毛を挿んで前記フィルターの反対側に掃除用刷毛押さえと、を有し、
前記掃除用刷毛は前記左方向に向かって長さが短くなる毛束を有し、
前記毛束の長さが長い側の前記掃除用刷毛と前記掃除用刷毛押さえとの隙間が、前記毛束の長さが短い側の前記掃除用刷毛と前記掃除用刷毛押さえとの隙間よりも大きく、
前記掃除用刷毛が前記右方向に移動する際に、前記掃除用刷毛の上方を前記掃除用刷毛の下方よりも前記右方向に傾けることを特徴とする空気調和機。
【請求項２】
空気吸込口及び空気吹出口を有する筐体と、
前記筐体内に配置された熱交換器と、
前記熱交換器の空気吸い込み側に配置されたフィルターと、
室内空気を前記空気吸込口より吸い込み、前記フィルター及び前記熱交換器を通してから前記空気吹出口より吹き出す送風ファンと、
前記フィルターに捕集された塵埃を除去する清掃装置と、を備え、
前記清掃装置は、前記フィルター上を移動する掃除用刷毛と、前記掃除用刷毛を挿んで前記フィルターの反対側に掃除用刷毛押さえと、前記フィルターの左方向に位置し、且つ、前記掃除用刷毛で掃き取られた塵埃を収納する集塵容器と、を有し、
前記掃除用刷毛は、前記掃除用刷毛が前記集塵容器に近づく前記左方向に向かって長さが短くなる毛束を有し、
前記毛束の長さが長い側の前記掃除用刷毛と前記掃除用刷毛押さえとの隙間が、前記毛束の長さが短い側の前記掃除用刷毛と前記掃除用刷毛押さえとの隙間よりも大きく、
前記掃除用刷毛が前記集塵容器から離れる右方向に移動する際に、前記掃除用刷毛の上方を前記掃除用刷毛の下方よりも前記右方向に傾けることを特徴とする空気調和機。
【請求項３】
前記清掃装置による清掃が行われていない状態では、前記掃除用刷毛は前記フィルターを挿んで前記集塵容器の反対側にある待機位置に位置し、
前記清掃装置による清掃が開始されると、前記清掃用刷毛は前記待機位置から前記左方向に前記集塵容器まで移動して前記フィルターに捕集された塵埃を掃き、且つ、前記清掃用刷毛は前記集塵容器から前記右方向に前記待機位置まで移動して前記フィルターに捕集された塵埃を掃くことを特徴とする請求項２に記載の空気調和機。
【請求項４】
前記清掃装置は、前記毛束の長さが長い側の前記掃除用刷毛に位置する固定ピン、及び、前記掃除用刷毛の前記左方向に位置する掃除用刷毛押さえを有し、
前記掃除用刷毛が前記右方向に移動する際に、前記掃除用刷毛は前記固定ピンを中心として回転し、且つ、前記掃除用刷毛は前記掃除用刷毛押さえによって回転を制限されることを特徴とする請求項１乃至３のいずれかに記載の空気調和機。
【請求項５】
前記毛束は、毛の長さが短い毛と毛の長さが長い毛の２種類の毛から構成されることを特徴とする請求項１乃至４のいずれかに記載の空気調和機。
【発明の詳細な説明】
【技術分野】
【０００１】
本発明はフィルターを清掃する清掃機構を備えた空気調和機に関する。
【背景技術】
【０００２】
空気調和機は、室内空気を熱交換器に循環させて、加熱，冷却，除湿等により調和された空気を室内に吹き出すことにより、室内を空気調和する。この空気調和機内を循環する空気中の塵埃は、空気調和機の室内空気吸込口に配置されたフィルターにより除去される。しかし、フィルターで除去した塵埃がフィルターに蓄積すると、通風抵抗が大きくなり、熱交換性能が低下する。
【０００３】
これに対して、特許文献１は、フィルターを清掃する清掃機構を備えた空気調和機を開示している。特許文献１の空気調和機は、フィルターに捕集された塵埃を掃き取る掃除用刷毛を有する清掃装置を備え、掃除用刷毛はフィルターに摺接しながら移動することで、フィルターに蓄積した塵埃を除去することができる。ここで、清掃機構は、掃除用刷毛の毛束をフィルターに摺接することで曲げ、その反力によってフィルターに蓄積した塵埃を除去している。
【０００４】
しかしながら、特許文献１の掃除用刷毛の毛束が長いと、掃除用刷毛の毛束の毛先ではなく、掃除用刷毛の毛束の中間部分でフィルターに蓄積した塵埃を掃くことになる。そして、掃除用刷毛の毛束の中間部分は掃除用刷毛の毛束の毛先よりも反力が弱い。つまり、掃除用刷毛の毛束が長いとフィルターに蓄積した塵埃を十分に除去することができない。一方、特許文献１の掃除用刷毛の毛束が短いと、掃除用刷毛の毛束の反りや組み付けのばらつきによっては、掃除用刷毛の毛束がフィルターに届かない可能性もある。
【０００５】
そこで、清掃装置の進行方向に対して掃除用刷毛の毛束の長さを変えることで、安定的にフィルターに蓄積した塵埃を掃くことができる。
【先行技術文献】
【特許文献】
【０００６】
【特許文献１】特開２００８−０５７８４６号公報
【発明の概要】
【発明が解決しようとする課題】
【０００７】
しかしながら、清掃装置の進行方向に対して掃除用刷毛の毛束の長さを変えた場合、清掃装置が掃除用刷毛の毛束の長さが長い方向に進むときに、掃除用刷毛の毛束の長さが長い毛が、掃除用刷毛の毛束の長さが短い毛の下側に潜り込み、掃除用刷毛の毛束がフィルターを摺接する抵抗が大きくなる。
【０００８】
本発明の目的は、より簡易な構造で信頼性が高い清掃機構を備えた空気調和機を提供することである。
【課題を解決するための手段】
【０００９】
上記課題を解決するために本発明の空気調和機は、空気吸込口及び空気吹出口を有する筐体と、前記筐体内に配置された熱交換器と、前記熱交換器の空気吸い込み側に配置されたフィルターと、室内空気を前記空気吸込口より吸い込み、前記フィルター及び前記熱交換器を通してから前記空気吹出口より吹き出す送風ファンと、前記フィルターに捕集された塵埃を除去する清掃装置と、を備え、前記清掃装置は前記フィルター上を左方向及び右方向に移動する掃除用刷毛と、前記掃除用刷毛を挿んで前記フィルターの反対側に掃除用刷毛押さえと、を有し、前記掃除用刷毛は前記左方向に向かって長さが短くなる毛束を有し、前記毛束の長さが長い側の前記掃除用刷毛と前記掃除用刷毛押さえとの隙間が、前記毛束の長さが短い側の前記掃除用刷毛と前記掃除用刷毛押さえとの隙間よりも大きく、前記掃除用刷毛が前記右方向に移動する際に、前記掃除用刷毛の上方を前記掃除用刷毛の下方よりも前記右方向に傾ける。
【発明の効果】
【００１０】
本発明によれば、より簡易な構造で信頼性が高い清掃機構を備えた空気調和機を提供することができる。
【図面の簡単な説明】
【００１１】
【図１】空気調和機の全体構成図。
【図２】室内機の内部上面図。
【図３】室内機の側断面図。
【図４】清掃機構の斜視図。
【図５】毛束の長さを徐変させた掃除用刷毛の説明図。
【図６】毛束の長さを２段階にした掃除用刷毛の説明図。
【図７】毛束の長さをｎ段階にした掃除用刷毛の説明図。
【図８】集塵機構の上面図。
【図９】集塵機構の斜視図。
【図１０】集塵機構の断面図。
【図１１】清掃動作説明図。
【図１２】刷毛動作説明図。
【図１３】刷毛動作説明図。
【図１４】本発明の刷毛動作説明図。
【図１５】本発明の刷毛動作説明図。
【図１６】本発明の刷毛動作説明図。
【図１７】本発明の刷毛動作説明図。
【図１８】本発明の刷毛動作説明図。
【発明を実施するための形態】
【００１２】
以下、本発明の空気調和機の実施例について図面を用いて説明する。まず、空気調和機の全体構成について図１及び図３を用いて説明する。
【００１３】
図１は空気調和機の全体構成図である。空気調和機１は、室内機２、室外機６及び室内機２に操作信号を送信するリモコン５を備える。室内機２及び室外機６は接続配管８で接続される。室内機２は、筐体２１内に、後述する熱交換器３３等の内部構造体を備える。空気調和機１は、室内空気を空気吸込口２７から吸い込み、熱交換器３３で加熱，冷却，除湿等された室内空気を、空気吹出口２９から室内に吹き出すことにより、室内を空気調和する。
【００１４】
図３は室内機の側断面図である。室内機２は、室内空気を吸い込む空気吸込口２７を室内機２上部に備える。空気吸込口２７の下流側には、室内空気中の塵埃を除去するフィルター２３１が空気吸込口２７を覆うように配置される。フィルター２３１の下流であって、筐体２１の中央部には、略逆Ｖ字状に形成され熱交換器３３が配置される。熱交換器３３の下流には、熱交換器３３の幅と略等しい長さの貫流ファン方式の送風ファン３１１が配置される。熱交換器の下端部には露受皿３５が配置される。露受皿３５は、冷房運転時や除湿運転時に熱交換器３３に発生する凝縮水を受ける。露受皿３５に集められた凝縮水はドレン配管３７を通して室外に排出される。熱交換器３３の下流であって、室内機２の下部には、熱交換器３３で加熱，冷却，除湿等された室内空気を室内に吹き出す空気吹出口２９を備える。空気吹出口２９には、吹き出される空気を左右方向に偏向する左右風向板２９５、及び、上下方向に偏向する上下風向板２９１を備える。
【００１５】
空気調和機１において、まず、送風ファン３１１を運転することで、室内空気を空気吸込口２７から室内機２内に吸い込む。その際、フィルター２３１により空気中の塵埃が除去される。その後、室内機２内に吸い込まれた室内空気は、熱交換器３３で加熱，冷却，除湿等されて、送風ファン３１１を介して、空気吹出口２９から室内に吹き出される。空気吹出口２９から室内に吹き出される調和された空気は、左右風向板２９５及び上下風向板２９１により、左右方向及び上下方向が偏向される。このようにして、室内空気を空気吸込口２７から吸い込み、熱交換器３３で加熱，冷却，除湿等された室内空気を空気吹出口２９から室内に吹き出すことにより、室内を空気調和する。
【００１６】
次に、フィルター２３１の清掃機構２３０について図２及び図４を用いて説明する。図２は室内機の内部上面図である。図４は清掃機構の斜視図である。
【００１７】
清掃機構２３０は、掃除用刷毛２６７と、図２及び図４の左右方向（室内機２の長手方向）に掃除用刷毛２６７を移動させる移動機構２３３と、掃除用刷毛２６７により掃き取られた塵埃を収集する集塵機構２７０とを備え、フィルター２３１に捕集された塵埃を掃き取る。  
移動機構２３３は、掃除用刷毛２６７を保持する刷毛保持部２６２と、刷毛保持部２６２を案内する案内枠２３４と、刷毛保持部２６２を移動させる移動用モータ２４２とを備える。案内枠２３４は、フィルター２３１の室内機２背面側にレール２３５を、フィルター２３１の室内機２前面側に推進軸を備える。
【００１８】
案内枠２３４は、刷毛保持部２６２に保持された掃除用刷毛２６７がフィルター２３１及び集塵機構２７０上を図２及び図４の左右方向に移動するように、フィルター２３１及び集塵機構２７０を囲うように配置される。尚、フィルター２３１を案内枠２３４に固定して、フィルター２３１と案内枠２３４を一体に構成するようにしてもよい。
【００１９】
推進軸２４３は多角形断面を有し、案内枠２３４に設けられた図示しない軸受に軸支される。推進軸２４３の一端は、図示しない歯車を介して、案内枠２３４に固定された移動用モータ２４２に連結される。推進軸２４３にはスクリュウ，キャリッジ２６１が緩挿され、スクリュウは案内枠２３４に設けられた、推進軸２４３と平行なラックに噛合している。刷毛保持部２６２は、推進軸２４３が保持するキャリッジ２６１とレール２３５とにより保持され、フィルター２３１を跨ぐように配置される。
【００２０】
このような移動機構２３３において、移動用モータ２４２を回転させることで、推進軸２４３が回転し、図２及び図４の左右方向にスクリュウが移動する。スクリュウの移動に伴って、キャリッジ２６１に保持された刷毛保持部２６２が図２及び図４の左右方向に移動する。これにより、刷毛保持部２６２に保持された掃除用刷毛２６７が、フィルター２３１に捕集された塵埃を掃き取るようにフィルター２３１上を移動する。尚、移動用モータ２４２の回転方向を逆回転にすることにより、キャリッジ２６１の移動方向を変更することができる。
【００２１】
掃除用刷毛２６７は、図５の如く、掃除用刷毛２６７の進行方向に、毛束押さえ２６８を備え、毛束押さえ２６８により、毛束２６９の変形を抑制する。また、掃除用刷毛２６７の毛束２６９は進行方向に対して毛の長さを変更する。すなわち、最短部ではフィルター２３１の略表面までの長さとし、最長部では毛の先端がフィルター２３１の表面で折り曲がる長さとする。これは、フィルター２３１の表面に付着した様々な形状の塵埃に対応するものである。例えば、フィルター２３１の表面に塵埃が多く付着している場合、毛束２６９の毛の長さが一様に長くフィルター２３１の表面で折り曲がる形状の場合、毛束に押しつけられた塵埃が塊となり、毛束がその上を撫でてしまい、毛束に塵埃が付着せずフィルター２３１の表面に塵埃が残ってしまう。
【００２２】
一方で、毛束２６９の毛の長さが一様に短くフィルター２３１の略表面までの長さである場合には、フィルター２３１や掃除用刷毛２６７の反りや組み付けのバラツキにより、毛束２６９とフィルター２３１の間に隙間が生じる場合があり、この部分で塵埃の取り残しが生じてしまう。
【００２３】
これらを解消するために、掃除用刷毛２６７の毛束２６９は進行方向に対して毛の長さを変更するものである。毛束の形状については、毛の長さが長くなるものであれば、図５のように徐々に毛の長さを長くするものや、図６のように毛の長さを短いものと長いものの２段階に、更に図７のようにｎ段階に長さを変化させてもよい。
【００２４】
ここで、図６のように毛の長さを短いものと長いものの２段階にした場合、毛の長さが短いものと長いものの段差に大きさが大きい塵埃が挟まり、塵埃の取り残しを減らすことができる場合がある。
【００２５】
次に、集塵機構２７０について、図８及び図９を用いて説明する。図８は集塵機構の上面図、図９は集塵機構の斜視図、図１０は集塵機構の断面図である。
【００２６】
集塵機構２７０は、フィルター２３１の方向に歯先が向かう第１櫛歯２７１と、フィルター２３１と第１櫛歯２７１との間に位置し第１櫛歯２７１の方向に歯先が向かう第２櫛歯２７３と、第１櫛歯２７１と第２櫛歯２７３の下方に位置し掃除用刷毛により掃き取られた塵埃を貯留する集塵容器２８４とを有する。つまり、集塵機構２７０は、収容開口２７０ｂを挟んで対向するように第１櫛歯２７１及び第２櫛歯２７３を備える。
【００２７】
次に、清掃機構の構成及び動作について図１１を用いて説明する。図１１は清掃動作説明図である。
【００２８】
フィルター２３１の側方には、清掃動作が行われていないときに掃除用刷毛２６７が待機する待機位置（図１１Ａ）が位置する。
【００２９】
清掃動作が開始されると、移動機構２３３により、待機位置に待機していた掃除用刷毛２６７をフィルター２３１に向かって移動させる。このとき、掃除用刷毛２６７の毛先は、凹部となる待機位置の開放状態から傾斜部を通って、待機位置より少し高めに位置するフィルター２３１面に徐々に毛先を曲げながら乗り上げ、フィルター２３１と摺接する。
【００３０】
フィルター２３１に摺接した掃除用刷毛２６７は、さらに集塵機構２７０の方向にフィルター２３１を移動してフィルター２３１を掃引し（図１１Ｃ）、塵埃２３６を掃き取る。
【００３１】
フィルター２３１を掃引した掃除用刷毛２６７は、掃き取った塵埃２３６と共に集塵機構２７０に向かう（図１１Ｄ）。塵埃２３６を掃き取った掃除用刷毛２６７は、掃除用刷毛２６７が折返位置２７０ａ（図１１Ｊ）で折り返して集塵機構２７０を往復する際に、第１櫛歯２７１及び第２櫛歯２７３により梳かれて、塵埃２３６を分離し集塵容器２８４内に移動させる。具体的には、掃除用刷毛２６７をフィルター２３１から第１櫛歯２７１に向かって移動させることにより、掃除用刷毛２６７によりフィルター２３１から掃き取られた塵埃を第１櫛歯２７１で梳いて集塵容器２８４に移送させ、その後、折返位置２７０ａ（図１１Ｊ）反転して、掃除用刷毛２６７を第１櫛歯２７１から第２櫛歯２７３に向かって移動させることにより、掃除用刷毛２６７によりフィルター２３１から掃き取られた塵埃を第２櫛歯２７３で梳いて集塵容器２８４に移送させる。
【００３２】
その後、掃除用刷毛２６７は再びフィルター２３１の表面を掃きながら待機位置まで移動させる。掃除用刷毛２６７が待機位置まで移動する際に掃き取った塵埃は、掃除用刷毛２６７が待機位置で待機している間は掃除用刷毛２６７が保持する。そして、掃除用刷毛２６７が再び集塵機構２７０を往復する際に、第１櫛歯２７１及び第２櫛歯２７３により梳かれて、塵埃２３６を分離し集塵容器２８４内に移動させる。以上のように、掃除用刷毛２６７はフィルター２３１の上を、両方向に進行することになる。
【００３３】
なお、集塵機構２７０を折返位置２７０ａ及び待機位置の２箇所に設けることで、掃除用刷毛２６７が待機位置で待機する前に塵埃２３６を分離し集塵容器２８４内に移動させてもよい。
【００３４】
ここで、待機位置に戻る際には、掃除用刷毛２６７をフィルター２３１に接触しないようにすることも可能ではあるが、フィルター２３１の表面を掃くのが、集塵機構２７０の方向に移動する１回だけのため、掃除用刷毛２６７がフィルター２３１の表面の塵埃を取り切れないこともあり、フィルター２３１の表面に塵埃が残った状態となるため、次に清掃動作を実施するまでの時間を短くせざるを得ない。
【００３５】
一方、待機位置に戻る際にも、掃除用刷毛２６７でフィルター２３１を掃いていく場合には、フィルター２３１の表面を２回掃くため、フィルター２３１の表面に除去できなかった塵埃が残ることはほとんどない。しかし、掃除用刷毛２６７の毛束２６９は進行方向に対して毛の長さを変更しているため、図１２のように毛の短い方向に進行する場合に対し、図１３のように毛の長い方向に進行する際には、長い毛が短い毛の下側に潜り込むため、毛束２６９とフィルター２３１の抵抗が大きくなってしまう。
【００３６】
清掃機構は、掃除用刷毛をフィルターに摺接することで曲げ、その反力によってフィルターに蓄積した塵埃を除去している。ここで、掃除用刷毛のうち、掃除用刷毛の根元に近い毛よりも毛先に近い毛の方が、反力が強い。図１２のように清掃機構が毛の短い方向に進行する場合、短い毛の毛先の下側に長い毛が潜り込むことはない。一方、図１３のように清掃機構が毛の長い方向に進行する場合、長い毛の毛先の下側に短い毛が潜り込むことになる。つまり、反力が強い毛先の下側に毛が潜り込むため、抵抗が大きくなってしまう。従って、図１２のように清掃機構が毛の短い方向に進行する場合と、図１３のように清掃機構が毛の長い方向に進行する場合とでは、掃除用刷毛をフィルターに摺接することによる抵抗の大きさが異なることになる。
【００３７】
そこで、毛の短い方向に進行する際には、掃除用刷毛２６７を傾斜することでフィルター２３１の表面を掃きつつ、毛束２６９とフィルター２３１の抵抗を抑制することが可能である。図１４及び図１５に掃除用刷毛２６７を傾斜させる機構の１例を示す。掃除用刷毛２６７は掃除用刷毛押さえ２７６にて固定しているが、この掃除用刷毛押さえ２７６の掃除用刷毛２６７の上面を押さえる面は、毛束２６９の短い毛の側に隙間が大きくなるよう傾斜している。
【００３８】
掃除用刷毛２６７が毛束２６９の短い毛の方向に進行する際には図１４の如く掃除用刷毛２６７は水平状態になるが、毛束２６９の毛の長い方向に進行する際には図１５の如く掃除用刷毛２６７を傾斜させることで、毛束２６９の短い毛とフィルター２３１の表面との隙間ができ、そこに毛束２６９の長い毛が潜り込むため、毛束２６９とフィルター２３１の抵抗を抑制することができる。そして、毛の長い方向に進行する際に、掃除用刷毛２６７を傾斜させる傾きを調節することで、毛の長い方向に進行する際における毛束２６９とフィルター２３１の抵抗と、毛の短い方向に進行する際における毛束２６９とフィルター２３１の抵抗とを均一化することができる。
【００３９】
なお、毛束２６９の毛先とは、毛束２６９のうちフィルター２３１に接する毛の先端をいう。また、毛束２６９の根元とは、毛束２６９を束ねる部分とする。また、掃除用刷毛２６７の上方を掃除用刷毛２６７の下方よりも右方向に傾けることとは、毛束２６９の根元を右方向に傾けることを意味し、毛束２６９とフィルター２３１が接触する部分である毛束２６９の毛先が毛束２６９の根元よりも毛束２６９の進行方向に対して後になることをいう。
【００４０】
また、室内機２の長手方向のうち、掃除用刷毛２６７の待機位置から集塵容器２８４へ向かって掃除用刷毛２６７が移動する方向を左方向とし、集塵容器２８４から掃除用刷毛２６７の待機位置へ向かって掃除用刷毛２６７が移動する方向を右方向とする。
【００４１】
また、掃除用刷毛２６７を固定する構造としては図１６の様にしても良い。すなわち、毛束２６９を刷毛保持部２６２の隙間に入れることで保持し、毛束２６９を結束保持部２６２に固定していない。そして毛束２６９の短い毛側の上方に位置する刷毛押さえ２７６に傾斜部２７６ａを設けている。そのため、毛束２６９の上面が傾斜部１７６ａに入り込むことで、掃除用刷毛２６７を傾斜させることが可能である。
【００４２】
掃除用刷毛２６７を固定する構造としては図１７及び図１８の様にしても良い。すなわち、掃除用刷毛２６７の中央から毛束２６９の長い毛側に、掃除用刷毛２６７が、そこを中心として回転するように設けられた固定ピン２７７を構成する。
【００４３】
なお、図１８の様に掃除用刷毛押さえ２７６によって、毛の長い方向に進行する際における掃除用刷毛２６７を傾斜させる傾きを制限することで、毛の長い方向に進行する際における毛束２６９とフィルター２３１の抵抗を調節することができる。
【００４４】
掃除用刷毛２６７が毛束２６９の短い毛の方向に進行する際には図１７の如く掃除用刷毛２６７は水平状態になるが、毛束２６９の毛の長い方向に進行する際には、図１８の如く掃除用刷毛２６７が固定ピン２７７を中心として傾斜し毛束２６９の短い毛とフィルター２３１の表面との隙間ができ、そこに毛束２６９の長い毛が潜り込むため、毛束２６９とフィルター２３１の抵抗を抑制することができる。
【００４５】
このように、本実施例の空気調和機は、空気吸込口及び空気吹出口を有する筐体と、前記筐体内に配置された熱交換器と、前記熱交換器の空気吸い込み側に配置されたフィルターと、室内空気を前記空気吸込口より吸い込み、前記フィルター及び前記熱交換器を通してから前記空気吹出口より吹き出す送風ファンと、前記フィルターに捕集された塵埃を除去する清掃装置と、を備え、前記清掃装置は前記フィルター上を左方向及び右方向に移動する掃除用刷毛を有し、前記掃除用刷毛は前記左方向に向かって長さが短くなる毛束を有し、前記掃除用刷毛が前記右方向に移動する際に、前記掃除用刷毛の上方を前記掃除用刷毛の下方よりも前記右方向に傾けることにより、簡易な構造で掃除用刷毛がフィルターを摺接するときの抵抗をより均一化することができる。
【００４６】
さらに、前記清掃装置は、前記フィルター上を移動する掃除用刷毛、及び、前記掃除用刷毛で掃き取られた塵埃を収納する集塵容器を有し、前記掃除用刷毛は、前記掃除用刷毛が前記集塵容器に近づく左方向に向かって長さが短くなる毛束を有し、前記掃除用刷毛が前記集塵容器から離れる右方向に移動する際に、前記掃除用刷毛の上方を前記掃除用刷毛の下方よりも前記右方向に傾ける。掃除用刷毛が左方向に移動する場合は、短い毛の毛先と長い毛の毛先の両方をフィルターに摺動させることができ、フィルター２３１の表面に付着した様々な形状の塵埃をより掃き取りやすい。そのため、掃除用刷毛が左方向に移動する場合は掃除用刷毛が右方向に移動する場合に比べてより多くの塵埃を掃き取ることができる。ここで、掃除用刷毛の毛束に付着した塵埃は、掃除用刷毛が移動することで、掃除用刷毛から落下する場合がある。そのため、掃除用刷毛が右方向に移動して塵埃を掃き取った後に、塵埃が付着した状態の掃除用刷毛が左方向に移動したとすると、掃除用刷毛に付着した塵埃が落下する可能性がある。そこで、掃除用刷毛が右方向に移動する場合に比べてより多くの塵埃を掃き取ることができる掃除用刷毛が左方向に移動した後に、掃除用刷毛に付着した塵埃を集塵容器に移動させることで、掃除用刷毛が移動する際に掃除用刷毛に付着した塵埃が落下する可能性を下げることができる。
【００４７】
また、前記清掃装置による清掃が行われていない状態では、前記掃除用刷毛は前記フィルターを挿んで前記集塵容器の反対側にある待機位置に位置し、前記清掃装置による清掃が開始されると、前記清掃用刷毛は前記待機位置から前記左方向に前記集塵容器まで移動して前記フィルターに捕集された塵埃を掃き、且つ、前記清掃用刷毛は前記集塵容器から前記右方向に前記待機位置まで移動して前記フィルターに捕集された塵埃を掃くことにより、短い毛の毛先と長い毛の毛先の両方をフィルターに摺動させることができる方向を掃除用刷毛が集塵容器に向かう方向とすることができる。清掃装置は、掃除用刷毛を左方向に移動させてフィルターに付着した塵埃を掃き取った後に、掃除用刷毛を右方向に移動させて取り残した塵埃を掃き取らせる。そのため、掃除用刷毛が左方向に移動して掃き取る塵埃の量に比べ、掃除用刷毛が右方向に移動して掃き取る塵埃の量は少ない。つまり、掃除用刷毛を待機位置から左方向に移動させた後に、掃除用刷毛に付着した塵埃を集塵容器に移動させることで、掃除用刷毛が移動する際における塵埃の付着量を抑えることができ、掃除用刷毛に付着した塵埃が集塵容器以外に落下する可能性を減らすことができる。
【００４８】
また、前記清掃装置は前記掃除用刷毛を挿んで前記フィルターの反対側に掃除用刷毛押さえを有し、前記毛束の長さが長い側の前記掃除用刷毛と前記掃除用刷毛押さえとの隙間が、前記毛束の長さが短い側の前記掃除用刷毛と前記掃除用刷毛押さえとの隙間よりも大きいことにより、清掃機構が毛の長い方向に進行する場合、傾斜部２７６ａに毛束２６９が入り込む分、毛束２６９の位置が上方に移動する。そのため、掃除用刷毛をフィルターに摺接することによる抵抗が低減し、掃除用刷毛がフィルターを摺接するときの抵抗をより均一化することができる。
【００４９】
また、前記清掃装置は、前記毛束の長さが長い側の前記掃除用刷毛に位置する固定ピン、及び、前記掃除用刷毛の前記左方向に位置する掃除用刷毛押さえを有し、前記掃除用刷毛が前記右方向に移動する際に、前記掃除用刷毛は前記固定ピンを中心として回転し、且つ、前記掃除用刷毛は前記掃除用刷毛押さえによって回転を制限されることにより、簡易な構造で掃除用刷毛がフィルターを摺接するときの抵抗をより均一化することができる。
【００５０】
また、空気吸込口及び空気吹出口を有する筐体と、筐体内に配置された熱交換器と、熱交換器の空気吸い込み側に配置されたフィルターと、室内空気を空気吸込口より吸い込みフィルター及び熱交換器を通してから空気吹出口より吹き出す送風ファンと、フィルターに捕集された塵埃を除去する清掃装置とを備え、清掃装置は、フィルターに捕集された塵埃を掃き取る毛束を進行方向と垂直に長さを徐変させ、毛束の短い側に進行する場合に対し、毛束の長い側に進行する際には、刷毛を傾斜させる掃除用刷毛と、フィルターの方向に歯先が向かう第１櫛歯と、フィルターと第１櫛歯との間に位置し第１櫛歯の方向に歯先が向かう第２櫛歯と、第１櫛歯と第２櫛歯との下方に位置し掃除用刷毛により掃き取られた塵埃を貯留する集塵容器とを有する。このような本実施例の空気調和機によれば、フィルター表面に付着した塵埃を確実に除去しつつ、掃除用刷毛の往復動作で安定した清掃機構を備えた空気調和機を提供することができる。
【００５１】
尚、上記各実施例においては、室内空気を吸い込む空気吸込口を室内機２の上面に備える場合について説明したが、室内空気を吸い込む空気吸込口を室内機２の前面等に備える場合は、その空気吸込口の下流側にフィルター及び本実施例の清掃機構を配置してもよい。
【符号の説明】
【００５２】
１  空気調和機
２  室内機
２７  空気吸込口
２９  空気吹出口
２３０  清掃機構
２３１  フィルター
２３３  移動機構
２６２  刷毛保持部
２６７  掃除用刷毛
２６７ｄ  刷毛の方向
２６８，２７６  掃除用刷毛押さえ
２６９  毛束
２７０  集塵機構
２７０ｂ  収容開口
２７１  第１櫛歯
２７１ａ，２７３ａ  突起
２７１ｂ，２７３ｂ  歯先
２７１ｃ，２７３ｃ  歯底
２７１ｄ  第１の包絡線
２７３  第２櫛歯
２７３ｄ  第２の包絡線
２７４  第１除去ブラシ
２７５  第２除去ブラシ
２７６ａ  傾斜部
２７７  固定ピン
２８４  集塵容器
【図１】
0005659121.tif 000002
【図２】
0005659121.tif 000003
【図３】
0005659121.tif 000004
【図４】
0005659121.tif 000005
【図５】
0005659121.tif 000006
【図６】
0005659121.tif 000007
【図７】
0005659121.tif 000008
【図８】
0005659121.tif 000009
【図９】
0005659121.tif 000010
【図１０】
0005659121.tif 000011
【図１１】
0005659121.tif 000012
【図１２】
0005659121.tif 000013
【図１３】
0005659121.tif 000014
【図１４】
0005659121.tif 000015
【図１５】
0005659121.tif 000016
【図１６】
0005659121.tif 000017
【図１７】
0005659121.tif 000018
【図１８】
0005659121.tif 000019